(57)【要約】【課題】解体後の高さを低く抑えることができる解体方法を提供する。【解決手段】鋼構造物Ａを転倒させて解体する方法である。転倒時には鋼構造物Ａは、奥行き方向と直交する方向の切断線で切断してあるように解体する。【選択図】図１
2014214456.tif 000002
【特許請求の範囲】
【請求項１】
鋼構造物を転倒させて解体する方法であって、
転倒時には鋼構造物は、奥行き方向と直交する方向の切断線で切断してあるように解体することを特徴とする、
鋼構造物の解体方法。
【請求項２】
請求項１記載の方法において、
まず鋼構造物を奥行き方向と直交する方向の切断線で切断して奥行き方向に複数の縦層が並ぶように分割し、
次に最前列の縦層の前面支柱の下部と、それとつながる斜材を切断して軸力を負担している下層部の柱を発破により切断、除去することで最前列の縦層を水平方向に大きく変形を生じさせて転倒させ、
最前列の縦層の転倒後に、次の層を同様に転倒させてゆくことを特徴とする、
鋼構造物の解体方法。
【請求項３】
請求項１記載の方法において、
鋼構造物の最前列の縦層の前面支柱の下部と、それとつながる斜材を切断し、軸力を負担している下層部の柱を発破により切断、除去することで水平方向に大きく変形を生じさせ、構造物全体の水平転倒を倒壊を行い、
水平転倒の転倒中に、鋼構造物を奥行き方向と直交する方向の切断線で、発破により切断することを特徴とする、
鋼構造物の解体方法。
【発明の詳細な説明】
【技術分野】
【０００１】
本発明は鋼構造物を解体する方法に関するものである。
【背景技術】
【０００２】
コンクリート構造物を発破によって効率よく解体する方法は特許文献に示すようにすでに公知である。
【先行技術文献】
【特許文献】
【０００３】
【特許文献１】特開平６-２６４６２７号公報
【特許文献２】特開２００３-３０７０３８号公報
【発明の概要】
【発明が解決しようとする課題】
【０００４】
前記したような従来の構造物の解体方法は、コンクリート構造物を対象にしたものであり、鋼構造物を対象とするものではなく、かつ解体後の高さを低く抑えるような配慮がなされた技術は存在しなかった。
【課題を解決するための手段】
【０００５】
上記のような課題を解決する本発明の鋼構造物の解体方法は、鋼構造物を転倒させて解体する方法であって、転倒時には鋼構造物は、奥行き方向と直交する方向の切断線で切断してあるように解体することを特徴とするものである。
また本発明の鋼構造物の解体方法は、上記の方法において、まず鋼構造物を奥行き方向と直交する方向の切断線で切断して奥行き方向に複数の縦層が並ぶように分割し、次に最前列の縦層の前面支柱の下部と、それとつながる斜材を切断して軸力を負担している下層部の柱を発破により切断、除去することで最前列の縦層を水平方向に大きく変形を生じさせて転倒させ、最前列の縦層の転倒後に、次の層を同様に転倒させてゆくことを特徴とするものである。
また本発明の鋼構造物の解体方法は、上記の方法において、鋼構造物の最前列の縦層の前面支柱の下部と、それとつながる斜材を切断し、軸力を負担している下層部の柱を発破により切断、除去することで水平方向に大きく変形を生じさせ、構造物全体の水平転倒を倒壊を行い、水平転倒の転倒中に、鋼構造物を奥行き方向と直交する方向の切断線で、発破により切断することを特徴とするものである。
【発明の効果】
【０００６】
本発明の鋼構造物の解体方法は以上説明したようになるから次のような効果の少なくともひとつを得ることができる。
＜１＞鋼構造物を一体で解体するのではなく、あえて二段階に分けて解体し、すでに転倒している前列の縦層の上に、次の縦層が転倒する解体工法である。
＜２＞そのために先に転倒した縦層は、その上に転倒する縦層によって押しつぶされて順次圧縮されて積み重ね高さは小さくなる。
＜３＞その結果、解体後の全体の高さを、解体前の奥行きより大幅に小さくすることができる。
＜４＞そのように解体後の残存物の高さを低く抑える結果、その後の処理を安全、かつ低コストで実施することができる。
【図面の簡単な説明】
【０００７】
【図１】本発明の鋼構造物の解体方法の概念図。
【図２】鋼構造物を前後の層に縦に分割する工程の説明図。
【図３】分割した前の縦層の下部の支柱などを切断する工程の説明図。
【図４】前の縦層が転倒する工程の説明図。
【図５】後の縦層の下部の支柱などを切断する工程の説明図。
【図６】後の縦層が転倒して前の縦層と重なった状態の説明図。
【図７】鋼構造物の分割前に下部の支柱などを切断する工程の説明図。
【図８】転倒中に鋼構造物を前後の縦層に分割する工程の説明図。
【発明を実施するための形態】
【０００８】
以下図面を参照にしながら本発明の鋼構造物の解体方法の好適な実施の形態を詳細に説明する。
【実施例】
【０００９】
＜１＞本発明の解体の概念
本発明の解体方法の対象は、トラスで構成した鋼構造物Ａである。
その場合に特に、図１に示すように正面から見て、奥行きの大きい構造物Ａを解体する場合に有効である。
すると切断線を奥行き方向とほぼ直交する方向に形成して複数の縦層Ａ１、Ａ２・・・に分割し、各縦層Ａ１、Ａ２・・・ごとに順次倒壊させると本発明の特徴を生かすことができて有効であるが、用途を図１に示すタイプの構造物Ａだけに限定するものではない。
そして本発明の解体方法は、少なくとも鋼構造物Ａが転倒し終わった時には鋼構造物Ａは、奥行き方向と直交する方向の切断線で切断してあるように解体することを特徴とするものである。
なお本発明において「直交する方向」とする表現は、数学的に精密な９０°を意味するものではなく、転倒方向と交わる方法、奥行き方向に交わる方向という程度の意味で使用するものである。
【００１０】
＜２＞先行して分割する方法
本発明の基本概念は、上記したように鋼構造物Ａの転倒の終了時には鋼構造物Ａは、奥行き方向と直交する方向の切断線で切断してあるように解体することを特徴とするものであるが、具体的には二種類の方法を採用することができる。
そのひとつが、鋼構造物Ａの転倒に先行して、鋼構造物Ａを分割してしまう方法である。
【００１１】
＜２−１＞縦層の形成（図２）
この方法では、まず鋼構造物Ａを奥行き方向と直交する方向の切断線で切断して複数の縦層Ａ１、Ａ２・・・を構成する。
この切断は、構造物Ａにおいて、切断する予定線を横断するような水平材、およびそれと連結している斜材に爆薬を取り付けて発破により行う。
発破による鋼材の切断技術は公知である。
このように切断すると、鋼構造物Ａを奥行き方向と直交する複数の縦層Ａ１、Ａ２・・・に分割して形成することができる。
上記のように、まず奥行き方向に複数の縦層Ａ１、Ａ２・・・が並ぶように分割することが本実施例の特徴である。
【００１２】
＜２−２＞最前列の転倒（図３，４）
鋼構造物Ａを、奥行き方向の直交する方向に複数の縦層Ａ１に分割した後に、まず最前列の縦層Ａ１の前面支柱ａの下部と、それとつながる斜材ｂを切断する。
この切断も、各部材に爆薬を取り付けて発破により切断する。
この工程で最前列の縦層Ａ１の軸力を負担している下層部の前面の支柱ａを発破により切断、除去することで水平方向に大きく変形を生じさせ水平倒壊を行うことができる。
【００１３】
＜２−３＞次層の転倒（図５）
最前列の縦層Ａ１が転倒した後に、次の縦層Ａ２を同様に転倒させる。
この場合も次の縦層Ａ２の軸力を負担している下層部の支柱や斜材を爆薬の発破により切断、除去することで水平方向に大きく変形を生じさせ水平倒壊を行う。
以上の作業を、分割した縦層Ａ１、Ａ２・・・ごとに、手前の層の転倒後に次の層、という順序で行ってゆく。
【００１４】
＜２−４＞次層の転倒の効果（図６）
このようにすでに転倒している最前列の縦層Ａ１の上に、次の縦層Ａ２が転倒する。
そのために、先に転倒した最前列の縦層Ａ１は、その上に転倒する次の縦層Ａ２によって押しつぶされる。
こうして順次、後から転倒する次の層はその転倒の衝撃で、先行して転倒した層を圧縮して積み重ね高さは小さくなってゆく。
【００１５】
＜３＞転倒中に分割する方法
上記の方法は事前に鋼構造物Ａを奥行き方向と直交する方向に分割し、その後に各縦層Ａ１、Ａ２・・・を転倒させる方法であった。
それに対して以下の実施例では、鋼構造物Ａ全体の転倒中、すなわち転倒の開始時から転倒の完了時の間に、奥行き方向と直交する方向に分割する方法である。
【００１６】
＜３−１＞構造物全体の転倒（図）
鋼構造物Ａのトラスの前面支柱ａの下部と、それとつながる斜材ｂを発破によって切断する。
その際に一方向への転倒を予定して、支持力の不均衡が生じるよう、側面視でクサビ型に破壊する。
このように、鋼構造物Ａの軸力の負担が均衡な配置になるように下層部の支柱ａ、斜材ｂを爆薬の発破により切断、除去することで水平方向に大きく変形を生じさせ、構造物Ａ全体の水平倒壊を行う。
【００１７】
＜３−２＞転倒中の分割（図８）
鋼構造物Ａの水平倒壊の最中、すなわち転倒開始から転倒終了の間に、鋼構造物Ａを奥行き方向と直交する方向の切断線で、発破により切断する。
すなわちこの方法では、転倒開始時には構造物Ａは前後の層に分割されておらず、転倒中に、前の縦層Ａ１と、後の縦層Ａ２として分割され、前後の層がわずかの時間差を介して転倒するものである。
このように構造物Ａ全体を一時に解体できるから、解体中の応力再分配による予測不能な崩壊があっても作業員に危険はない。
【００１８】
＜３−３＞転倒時期の設定
上記したように本実施例では、鋼構造物Ａの転倒開始から転倒終了の間のわずかの時間内に、鋼構造物Ａを奥行き方向と直交する方向の切断線によって発破により切断する方法である。
したがって発破により切断する位置、全体の解体のための発破と分割のための発破の時間差、タイミングに関する精緻な検討が必要である。
その手段としてたとえばＡＳＩ―Ｇａｕｓｓ法による発破解体シュミレーション技術を採用することができるが、本発明の方法はＡＳＩ―Ｇａｕｓｓ法に限定するものではない。
【００１９】
＜４＞他の切断方法
以上の説明は、切断を爆薬の発破により行う方法であった。しかし溶接切断、カッター、丸ノコによる切断など、公知の切断方法を採用することもできる。
【符号の説明】
【００２０】
Ａ：構造物
Ａ１：前の縦層
Ａ２：次の縦層
【図１】
2014214456.tif 000003
【図２】
2014214456.tif 000004
【図３】
2014214456.tif 000005
【図４】
2014214456.tif 000006
【図５】
2014214456.tif 000007
【図６】
2014214456.tif 000008
【図７】
2014214456.tif 000009
【図８】
2014214456.tif 000010